【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
患者を治療するための方法であって、
分散された空隙を有するコア構造を有する磁気装置を用いて磁場を生成する工程と、
前記患者に前記磁場を印加する工程と、
前記磁場に応じて前記患者を治療する工程と
を有する方法。
【請求項２】
請求項１記載の方法において、この方法は、さらに、
機械加工、プレス加工、成形、接着、または押出加工のうちの少なくとも１つによって前記分散された空隙を有するコア構造を作製する工程を有するものである。
【請求項３】
請求項１記載の方法において、この方法は、さらに、
個別のコア構造を接着する工程または付着させる工程のうちの少なくとも１つによって前記分散された空隙を有するコア構造を作製する工程を有するものである。
【請求項４】
請求項１記載の方法において、この方法は、さらに、
前記患者の運動閾値を決定する工程を有するものである。
【請求項５】
請求項４記載の方法において、この方法は、さらに、
前記決定された運動閾値に応じた刺激点を有するものである。
【請求項６】
請求項１記載の方法において、この方法は、さらに、
前記磁気装置に対して前記患者を位置決めする工程を有するものである。
【請求項７】
請求項１記載の方法において、この方法は、さらに、
前記患者に対して前記磁気装置を位置決めする工程を有するものである。
【請求項８】
請求項１記載の方法において、この方法は、さらに、
刺激信号の連続パルスを提供する工程を有するものである。
【請求項９】
請求項１記載の方法において、この方法は、さらに、
絶縁物質で被覆された強磁性粒子の粉末を用いて前記分散された空隙を有するコア構造を作製する工程を有するものである。
【請求項１０】
請求項１記載の方法において、この方法は、さらに、
前記磁気装置に対して前記患者を固定する工程を有するものである。
【請求項１１】
請求項９記載の方法において、前記強磁性粒子は、強磁性導電材料、鉄、銅、黄銅、またはアルミニウムうちの少なくとも１つを有するものである。
【請求項１２】
請求項１記載の方法において、この方法は、さらに、
診断を基に前記患者を治療する工程を有するものである。
【請求項１３】
請求項１記載の方法において、この方法は、さらに、
前記患者の頭部の近接部に前記磁気装置を配置する工程と、うつ病を治療する工程とを有するものである。
【請求項１４】
請求項１記載の方法において、この方法は、さらに、
前記患者の脳の一部を刺激する工程と、うつ病を治療する工程とを有するものである。
【請求項１５】
請求項１記載の方法において、前記磁気装置は経皮的磁気刺激を提供するものである。
【請求項１６】
請求項１５記載の方法において、前記磁気刺激装置は０．５テスラ以上で飽和する磁気コアを有するものである。
【請求項１７】
請求項１５記載の方法において、前記磁気刺激装置は非トロイダル形状の磁気コアを有するものである。
【請求項１８】
請求項１記載の方法において、この方法は、さらに、
前記磁気装置を第１の位置である前記皮膚表面の近接部に配置する工程を有するものである。
【請求項１９】
請求項１８記載の方法において、この方法は、さらに、
前記皮膚表面の比較的近接部の組織、神経、または筋肉のうちの少なくとも１つを刺激する工程を有するものである。
【請求項２０】
請求項１９記載の方法において、前記組織は脳組織である。
【請求項２１】
請求項２０記載の方法において、この方法は、さらに、
第１の位置に対して導体を治療領域に位置決めする工程を有するものである。
【請求項２２】
請求項２１記載の方法において、この方法は、さらに、
前記患者の皮膚の近接領域における刺激を低減する工程を有するものである。
【請求項２３】
請求項２２記載の方法において、前記低減する工程は前記経皮的刺激によって生成された電場を調整する工程を有するものである。
【請求項２４】
請求項２３記載の方法において、前記電場の調整は、前記経皮的刺激によって生成された磁束の調整によって行われるものである。
【請求項２５】
請求項２２記載の方法において、前記低減する工程は前記経皮的刺激によって生成された磁場を調整する工程を有するものである。
【請求項２６】
請求項１記載の方法において、前記コアの形状は非直線形である。
【請求項２７】
請求項１記載の方法において、この方法は、さらに、
前記患者の末梢神経系を治療する工程を有するものである。
【請求項２８】
請求項１記載の方法において、この方法は、さらに、
失禁を治療する工程を有するものである。
【請求項２９】
請求項１記載の方法において、この方法は、さらに、
体重管理のために患者を治療する工程を有するものである。
【請求項３０】
請求項１記載の方法において、この方法は、さらに、
前記患者の筋肉リハビリテーションを行なう工程を有するものである。
【請求項３１】
請求項１記載の方法において、この方法は、さらに、
前記磁場を周期的且つ断続的に印加する工程を有するものである。
【請求項３２】
請求項１記載の方法において、この方法は、さらに、
前記磁気装置の温度を摂氏４１．５度以下に維持する工程を有するものである。
【請求項３３】
患者を治療するためのシステムであって、
分散された空隙を有するコア構造を有する磁場生成装置と、
前記磁場生成装置と電気的に連通している回路と、
前記回路と電気的に連通している電源と
を有するシステム。
【請求項３４】
請求項３３記載のシステムにおいて、前記分散された空隙を有するコアは１より大きい透磁率を有するものである。
【請求項３５】
請求項３３記載のシステムにおいて、前記分散された空隙を有するコアは、機械加工、プレス加工、成形、接着、または押出加工のうちの少なくとも１つによって製造されるものである。
【請求項３６】
請求項３３記載のシステムにおいて、前記分散された空隙のコアは、個別コア構造を接着する工程または付着させる工程のうちの少なくとも１つによって製造されるものである。
【請求項３７】
請求項３３記載のシステムにおいて、前記分散された空隙は強磁性粉末材料を用いて生成されるものである。
【請求項３８】
請求項３３記載のシステムにおいて、前記分散された空隙を有するコアは前記磁気装置の磁極面の間に磁場を集束させるものである。
【請求項３９】
請求項３８記載のシステムにおいて、前記分散された空隙を有するコアは磁極面を有するものである。
【請求項４０】
請求項３９記載のシステムにおいて、前記磁極面は当該磁極面に切り込まれる溝（ｃｈａｎｎｅｌ）を有し、前記溝は当該溝に挿入され、当該溝の外側で接続される短絡巻線を有するものである。
【請求項４１】
請求項３３記載のシステムにおいて、前記分散された空隙を有するコアは強磁性導電材料を有するものである。
【請求項４２】
請求項３３記載のシステムにおいて、前記分散された空隙を有するコアは、鉄、銅、黄銅、またはアルミニウムのうちの少なくとも１つを含むものである。
【請求項４３】
請求項３３記載のシステムにおいて、このシステムは、さらに、
前記コアと電気的に連通している導体を有するものである。
【請求項４４】
請求項４３記載のシステムにおいて、前記導体はボビン構造に巻回されるものである。
【請求項４５】
請求項４４記載のシステムにおいて、前記ボビン構造は単一ボビンである。
【請求項４６】
請求項４４記載のシステムにおいて、前記ボビン構造は複数のボビンを有するものである。
【請求項４７】
請求項４４記載のシステムにおいて、前記ボビン構造は前記コア構造から前記導線を絶縁するものである。
【請求項４８】
請求項４３記載のシステムにおいて、前記導体は前記コアの磁極面に巻回されるものである。
【請求項４９】
請求項４８記載のシステムにおいて、巻線の巻回数は両磁極間において同一である。
【請求項５０】
請求項４３記載のシステムにおいて、前記導体は前記コアの中心点に巻回されるものである。
【請求項５１】
請求項４３記載のシステムにおいて、前記導体は前記コアの磁極面および前記コアの中心点に巻回されるものである。
【請求項５２】
請求項５１記載のシステムにおいて、前記磁極面に対する巻線の巻回数は、前記コアの中心点に対する巻回数の比である。
【請求項５３】
請求項４３記載のシステムにおいて、前記導体は電気的に並列の多重より線を有するものである。
【請求項５４】
請求項４３記載のシステムにおいて、前記導体は金属板の伝導材料を有するものである。
【請求項５５】
請求項４３記載のシステムにおいて、前記導体は押出加工によって作製された磁気導線を有するものである。
【請求項５６】
請求項３３記載のシステムにおいて、このシステムは、さらに、
電源を有するものである。
【請求項５７】
請求項５６記載のシステムにおいて、前記電源は８５〜２６４ボルトの範囲の交流入力電圧である。
【請求項５８】
請求項３３記載のシステムにおいて、前記分散された空隙は空気によって生成されるものである。
【請求項５９】
請求項３３記載のシステムにおいて、前記分散された空隙は絶縁粒子によって生成される。
【請求項６０】
請求項３３記載のシステムにおいて、このシステムは、さらに、
前記磁気装置と外面との間に熱絶縁体を有するものである。
【請求項６１】
請求項３３記載のシステムにおいて、このシステムは、さらに、
前記磁気装置に接触する放熱装置を有し、これにより熱が前記磁気装置から遠ざかるように方向付されるものである。
【請求項６２】
患者を治療するための磁気コアを製造するための方法であって、
絶縁被覆を有する強磁性粒子を選択する工程と、
前記強磁性粒子を混合する工程と、
前記強磁性粒子をコア構造に成形する工程と
を有する方法。
【請求項６３】
請求項６２記載の方法において、この方法は、さらに、
前記コアが１より大きい透磁率を有するよう、前記強磁性粒子を選択する工程を有するものである。
【請求項６４】
請求項６２記載の方法において、この方法は、さらに、
機械加工、プレス加工、成形、接着、または押出加工の工程のうちの少なくとも１つによって前記強磁性コアを作製する工程を有するものである。
【請求項６５】
請求項６２記載の方法において、この方法は、さらに、
個別の部品を接着する工程または付着させる工程のうちの少なくとも１つによって前記強磁性コアを作製する工程を有するものである。
【請求項６６】
請求項６２記載の方法において、複数の前記強磁性粒子は粉末構造を成形するものである。
【請求項６７】
請求項６２記載の方法において、この方法は、さらに、
前記成形する工程に応じて分散された空隙を有する構造を生成する工程を有するものである。
【請求項６８】
請求項６７記載の方法において、この方法は、さらに、
前記分散された空隙を有するコア構造を介して前記磁気装置の磁極面の間に磁場を集束させる工程を有するものである。
【請求項６９】
請求項６２記載のシステムにおいて、前記強磁性粉末コアは磁極面を有するものである。
【請求項７０】
請求項６９記載の方法において、この方法は、さらに、
前記磁極面に溝を切り込む工程と、
前記溝に短絡巻線を挿入する工程と
を有するものである。
【請求項７１】
請求項６２記載の方法において、前記強磁性粒子は強磁性導電材料を有するものである。
【請求項７２】
請求項６２記載の方法において、前記絶縁被覆はケイ素を有するものである。
【請求項７３】
請求項６２記載の方法において、前記強磁性粒子は鉄、銅、黄銅、またはアルミニウムのうちの少なくともの１つを有するものである。
【請求項７４】
請求項６２記載の方法において、この方法は、さらに、
前記コア構造に導線を巻回する工程を有するものである。
【請求項７５】
請求項７４記載の方法において、この方法は、さらに、
ボビン構造に前記導線を巻回する工程と、前記ボビン構造を前記コア構造上に取り付ける工程とを有するものである。
【請求項７６】
請求項７５記載の方法において、前記ボビン構造は単一ボビンである。
【請求項７７】
請求項７５記載の方法において、ボビン構造は複数のボビンを有するものである。
【請求項７８】
請求項７５記載の方法において、この方法は、さらに、
前記コア構造から前記ボビン構造を絶縁する工程を有するものである。
【請求項７９】
請求項７４記載の方法において、この方法は、さらに、
前記コアの磁極面に導線を巻回する工程を有するものである。
【請求項８０】
請求項７９記載の方法において、この方法は、さらに、
両磁極間で同一の巻線の巻回数を選択する工程を有するものである。
【請求項８１】
請求項７４記載の方法において、この方法は、さらに、
前記コアの中心点に導線を巻回する工程を有するものである。
【請求項８２】
請求項７４記載の方法において、この方法は、さらに、
前記コアの磁極面および前記コアの中心点に導線を巻回する工程を有するものである。
【請求項８３】
請求項８２記載の方法において、この方法は、さらに、
前記磁極面周囲に巻線を巻回する数を、前記コアの中心点周囲に巻線を巻回する数の比として選択する工程を有するものである。
【請求項８４】
請求項７４記載の方法において、この方法は、さらに、
単一より線導体を前記導線として選択する工程を有するものである。
【請求項８５】
請求項７４記載の方法において、この方法は、さらに、
電気的に並列の多重より線導体を選択する工程を有するものである。
【請求項８６】
請求項７４記載の方法において、この方法は、さらに、
導電材料の金属板を前記導線として選択する工程を有するものである。
【請求項８７】
請求項８６記載の方法において、この方法は、さらに、
押出加工によって作製された磁性体を前記導線として選択する工程を有するものである。
【請求項８８】
請求項６２記載の方法において、この方法は、さらに、
前記コアに電源を接続する工程を有するものである。
【請求項８９】
請求項８８記載の方法において、前記電源は交流入力電圧である。
【請求項９０】
患者を治療するための装置であって、
分散された空隙構造を有する磁気コアと、
前記コアと電気的に連通している導体と
を有する装置。
【請求項９１】
請求項９０記載の装置において、前記コアは１より大きい透磁率を有するものである。
【請求項９２】
請求項９０記載の装置において、前記コアは機械加工、プレス加工、成形、接着、または押出加工のうちの少なくとも１つによって製造される。
【請求項９３】
請求項９０記載の装置において、前記コアは個別コア構造を接着する工程または付着させる工程のうちの少なくとも１つによって製造されるものである。
【請求項９４】
請求項９０記載の装置において、前記コアは強磁性粉末材料を用いて作製されるものである。
【請求項９５】
請求項９０記載の装置において、前記コアは前記磁気装置の磁極面の間に磁場を集束させるものである。
【請求項９６】
請求項９０記載の装置において、前記コアは磁極面を有するものである。
【請求項９７】
請求項９６記載の装置において、前記磁極面は当該磁極面に切り込まれる溝を有し、前記溝は当該溝に挿入され、当該溝の外側で接続される短絡巻線を有するものである。
【請求項９８】
請求項９０記載の装置において、前記コアは強磁性導電材料を有するものである。
【請求項９９】
請求項９０記載の装置において、前記コアは、鉄、銅、黄銅、またはアルミニウムのうちの少なくとも１つを含むものである。
【請求項１００】
請求項９０記載の装置において、前記導体はボビン構造に巻回されるものである。
【請求項１０１】
請求項１００記載の装置において、前記ボビン構造は単一ボビンである。
【請求項１０２】
請求項１００記載の装置において、ボビン構造は複数のボビンを有するものである。
【請求項１０３】
請求項１００記載の装置において、前記ボビン構造は前記コア構造から導体を絶縁するものである。
【請求項１０４】
請求項９０記載の装置において、前記導体は前記コアの磁極面に巻回されるものである。
【請求項１０５】
請求項１０４記載の装置において、巻線の巻回数は両磁極間において同一である。
【請求項１０６】
請求項９０記載の装置において、前記導体は前記コアの中心点に巻回されるものである。
【請求項１０７】
請求項９０記載の装置において、前記導体は前記コアの磁極面および前記コアの中心点に巻回されるものである。
【請求項１０８】
請求項１０７記載の装置において、前記磁極面に対する巻線の巻回数は、前記コアの中心点に対する巻回数の比である。
【請求項１０９】
請求項９０記載の装置において、前記導体は電気的に並列の多重より線を有するものである。
【請求項１１０】
請求項９０記載の装置において、前記導体は金属板の伝導材料を有するものである。
【請求項１１１】
請求項９０記載の装置において、前記導体は押出加工によって作製された磁気導線を有するものである。
【請求項１１２】
請求項９０記載の装置において、前記コアは非直線形の形状を有するものである。
【請求項１１３】
請求項９０記載の装置において、前記空隙構造は空気によって生成される。
【請求項１１４】
請求項９０記載の装置において、前記空隙構造は絶縁粒子によって生成される。
【請求項１１５】
請求項９０記載の装置において、この装置は、さらに、
前記磁気コアと外面との間に熱絶縁体を有するものである。
【請求項１１６】
請求項９０記載の装置において、この装置は、さらに、
前記磁気コアに接触する放熱装置を有し、これにより熱が前記磁気装置から遠ざかるように方向付されるものである。
【手続補正２】
【補正対象書類名】明細書
【補正対象項目名】００１８
【補正方法】変更
【補正の内容】
【００１８】
現在の強磁性コアの形状および構成は適切に機能するものであり、コイルのみを用いる方法に勝ることは確かであるが、他の状況下においてはその他のコア構成およびコア形状も同等に適切に機能すると考えられる。
この出願の発明に関連する先行技術文献情報としては、以下のものがある（国際出願日以降国際段階で引用された文献及び他国に国内移行した際に引用された文献を含む）。
【特許文献１】
米国特許第６，４０２，６７８号明細書
【特許文献２】
米国特許第５，１１６，３０４号明細書
【特許文献３】
米国特許第４，９９４，０１５号明細書
【特許文献４】
米国特許第６，１７９，７７１号明細書
【特許文献５】
米国特許第６，１７９，７６９号明細書
【特許文献６】
米国特許出願公開第２００１／００３１９０６号明細書
【特許文献７】
米国特許出願公開第２００２／００８７２０１号明細書
【特許文献８】
米国特許出願公開第２００２／０１０３５１５号明細書
【特許文献９】
米国特許第５，０７８，６７４号明細書
【特許文献１０】
米国特許出願公開第２００３／０１３０７０６号明細書
【特許文献１１】
国際公開第０２／０３２５０４号パンフレット
【特許文献１２】
国際公開第０２／０９４９９７号パンフレット
【特許文献１３】
国際公開第０２／０８５４４９号パンフレット
【特許文献１４】
国際公開第  ０２／０９８１１号パンフレット
【特許文献１５】
欧州特許第１  ２７３  ３２０号明細書
【特許文献１６】
米国特許出願公開第２００２／００９１４１９号明細書
【特許文献１７】
米国特許出願公開第２００３／０００４３９２号明細書
【特許文献１８】
米国特許出願公開第２００３／００２３１５９号明細書
【特許文献１９】
米国特許出願公開第２００３／００２８０７２号明細書
【特許文献２０】
米国特許出願公開第２００３／００８８２７４号明細書
【特許文献２１】
米国特許出願公開第２００３／００９７１６１号明細書
【特許文献２２】
米国特許第６，１９８，９５８号明細書
【特許文献２３】
米国特許出願公開第２００３／０１９５５８８号明細書
【特許文献２４】
米国特許出願公開第２００３／０２０４１３５号明細書
【特許文献２５】
米国特許第６，６６３，５５６号明細書
【特許文献２６】
国際公開第０２／０８９９０２号パンフレット
【特許文献２７】
国際公開第０３／０３５１６３号パンフレット
【特許文献２８】
国際公開第０１／９７９０６号パンフレット
【特許文献２９】
国際公開第９９／６４８８４号パンフレット
【特許文献３０】
国際公開第０２／０８５４５４号パンフレット
【特許文献３１】
米国特許出願公開第２００４／００１０１７７号明細書
【特許文献３２】
米国特許第６，５０３，１８７号明細書
【特許文献３３】
米国特許第６，４８４，０５９号明細書
【特許文献３４】
米国特許第６，４６３，３２８号明細書
【特許文献３５】
米国特許第６，５７１，１２３号明細書
【特許文献３６】
米国特許出願公開第２００３／００７３８９９号明細書
【特許文献３７】
米国特許第６，５１６，２８８号明細書
【特許文献３８】
米国特許第６，５６０，４９０号明細書
【特許文献３９】
米国特許第６，２５６，５３１号明細書
【特許文献４０】
米国特許第６，４８８，６１７号明細書
【特許文献４１】
国際公開第０２／０７２１９４号パンフレット
【特許文献４２】
国際公開第０１／１２２３６号パンフレット
【特許文献４３】
国際公開第０２／３１６０４号パンフレット
【特許文献４４】
国際公開第０１／２８６２２号パンフレット
【特許文献４５】
国際公開第００／７４７７７号パンフレット
【特許文献４６】
米国特許第６，３６６，８１４号明細書
【特許文献４７】
米国特許第６，２５３，１０９号明細書
【特許文献４８】
米国特許第６，１１７，０６６号明細書
【特許文献４９】
米国特許第５，７０７，３３４号明細書
【特許文献５０】
米国特許第４，７１２，５５８号明細書
【特許文献５１】
米国特許第６，０６６，０８４号明細書
【特許文献５２】
米国特許第６，５６７，７０２号明細書
【特許文献５３】
米国特許出願公開第２００２／００１３６１２号明細書
【特許文献５４】
米国特許出願公開第２００２／０１６９３５５号明細書
【特許文献５５】
米国特許出願公開第２００３／００５０５２７号明細書
【特許文献５６】
国際公開第０３／０９０６０４号パンフレット
【特許文献５７】
国際公開第０３／０９８２６８号パンフレット
【特許文献５８】
国際公開第０３／０８４６０５号パンフレット
【特許文献５９】
国際公開第０３／０８５５４６号パンフレット
【特許文献６０】
国際公開第０３／０３９４６８号パンフレット
【特許文献６１】
米国特許第６，５７２，５２８号明細書
【特許文献６２】
米国特許出願公開第２００３／００７４０３２号明細書
【特許文献６３】
米国特許出願公開第２００３／０１２５７８６号明細書
【特許文献６４】
米国特許第５，８１３，９７０号明細書
【特許文献６５】
米国特許第５，７６９，７７８号明細書
【特許文献６６】
米国特許第６，１６９，９６３号明細書
【特許文献６７】
米国特許出願公開第２００２／０１６０４３６号明細書
【特許文献６８】
米国特許出願公開第２００２／０１２３７８０号明細書
【特許文献６９】
米国特許第４，９９５，３９５号明細書
【特許文献７０】
米国特許第６，５３７，１９７号明細書
【特許文献７１】
国際公開第０３／０８２４０５号パンフレット
【特許文献７２】
国際公開第２００４／００６７５０号パンフレット
【特許文献７３】
国際公開第０４／０８２７５９号パンフレット
【特許文献７４】
国際公開第０５／０００４０１号パンフレット
【特許文献７５】
国際公開第０５／０６５７６８号パンフレット
【特許文献７６】
米国特許第６，１５５，９６６号明細書
【特許文献７７】
米国特許第６，０５７，３７３号明細書
【特許文献７８】
米国特許出願公開第２００３／００８７２６４号明細書
【特許文献７９】
米国特許出願公開第２００３／００８２５０７号明細書
【特許文献８０】
米国特許出願公開第２００４／０１３８５５０号明細書
【特許文献８１】
米国特許出願公開第２００４／０１４３３００号明細書
【特許文献８２】
米国特許第５，２９９，５６９号明細書
【特許文献８３】
米国特許出願公開第２００４／００７７９２１号明細書
【特許文献８４】
米国特許第６，６２９，９３５号明細書
【特許文献８５】
米国特許出願公開第２００４／０１２７９４２号明細書
【特許文献８６】
米国特許出願公開第２００５／００２１１０４号明細書
【特許文献８７】
米国特許第６，４９７，６４８号明細書
【特許文献８８】
米国特許第６，３８９，３１８号明細書
【特許文献８９】
国際公開第０４／１００７６５号パンフレット
【特許文献９０】
米国特許第５，０９７，８３３号明細書
【特許文献９１】
米国特許第３，６８３，９２３号明細書
【特許文献９２】
米国特許出願公開第２００５／０１２４８４８号明細書
【特許文献９３】
米国特許第４，６０１，７５３号明細書
【特許文献９４】
米国特許出願公開第２００５／０２２８２０９号明細書
【特許文献９５】
米国特許第６，８２７，６８１号明細書
【特許文献９６】
米国特許出願公開第２００４／０１５３１２９号明細書
【特許文献９７】
米国特許第６，４８０，７４３号明細書
【特許文献９８】
米国特許第６，８４９，０４０号明細書
【特許文献９９】
米国特許出願公開第２００５／０２１６０７１号明細書
【特許文献１００】
米国特許出願公開第２００５／０２５６５３９号明細書
【特許文献１０１】
米国特許出願公開第２００４／００７７９２３号明細書
【特許文献１０２】
米国特許第号５，７２５，４７１明細書
【非特許文献１】
Ｂａｕｄｅｗｉｇ，Ｊ．ｅｔ  ａｌ．，"Ｆｕｎｃｔｉｏｎａｌ  ＭＲＩ  ｏｆ  Ｃｏｒｔｉｃａｌ  Ａｃｔｉｖａｔｉｏｎｓ  Ｉｎｄｕｃｅｄ  ｂｙ  Ｔｒａｎｓｃｒａｎｉａｌ  Ｍａｇｎｅｔｉｃ  Ｓｔｉｍｕｌａｔｉｏｎ（ＴＭＳ）"，Ｂｒａｉｎ  Ｉｍａｇｉｎｇ−ＮｅｕｒｏＲｅｐｏｒｔ，２００１，１２（１６），３５４３−３５４８
【非特許文献２】
Ｂｏｈｎｉｎｇ，Ｄ．Ｅ．ｅｔ  ａｌ．，"Ａ  ＴＭＳ  Ｃｏｉｌ  Ｐｏｓｉｔｉｏｎｉｎｇ／Ｈｏｌｄｉｎｇ  Ｓｙｓｔｅｍ  ｆｏｒ  ＭＲ  Ｉｍａｇｅ−Ｇｕｉｄｅｄ  ＴＭＳ  Ｉｎｔｅｒｌｅａｖｅｄ  ｗｉｔｈ  ｆＭＲＩ"，Ｃｌｉｎｉｃａｌ  Ｎｅｕｒｏｐｈｙｓｉｏｌｏｇｙ，２００３，１１４，２２１０−２２１９
【非特許文献３】
Ｂｏｈｎｉｎｇ，Ｄ．Ｅ．Ｐｈ．Ｄ．ｅｔ  ａｌ．，"Ａ  Ｃｏｍｂｉｎｅｄ  ＴＭＳ／ｆＭＲＩ  Ｓｔｕｄｙ  ｏｆ  Ｉｎｔｅｎｓｉｔｙ−Ｄｅｐｅｎｄａｎｔ  ＴＭＳ  ｏｖｅｒ  Ｍｏｔｏｒ  Ｃｏｒｔｅｘ"，Ｓｏｃｉｅｔｙ  ｏｆ  Ｂｉｏｌｏｇｉｃａｌ  Ｐｓｙｃｈｉａｔｒｙ，１９９９，４５，３８５−３９４
【非特許文献４】
Ｂｏｈｎｉｎｇ，Ｄ．Ｅ．Ｐｈ．Ｄ．ｅｔ  ａｌ．，"ＢＯＬＤ−ｆＭＲＩ  Ｒｅｓｐｏｎｓｅ  ｔｏ  Ｓｉｎｇｌｅ−Ｐｕｌｓｅ  Ｔｒａｎｓｃｒａｎｉａｌ  Ｍａｇｎｅｔｉｃ  Ｓｔｉｍｕｌａｔｉｏｎ（ＴＭＳ）"，Ｊｏｕｒｎａｌ  ｏｆ  Ｍａｇｎｅｔｉｃ  Ｒｅｓｏｎａｎｃｅ  Ｉｍａｇｉｎｇ，２０００，１１，５６９−５７４
【非特許文献５】
Ｇａｒｃｉａ−Ｔｏｒｏ，Ｍ．ｅｔ  ａｌ．，"Ｍｏｄｅｓｔ  Ａｄｊｕｎｃｔｉｖｅ  Ｂｅｎｅｆｉｔ  ｗｉｔｈ  Ｔｒａｎｓｃｒａｎｉａｌ  Ｍａｇｎｅｔｉｃ  Ｓｔｉｍｕｌａｔｉｏｎ  ｉｎ  Ｍｅｄｉｃａｔｉｏｎ−Ｒｅｓｉｓｔａｎｔ  Ｄｅｐｒｅｓｓｉｏｎ"，Ｊｏｕｒｎａｌ  ｏｆ  Ａｆｆｅｃｔｉｖｅ  Ｄｉｓｏｒｄｅｒｓ，２００１，６４，２７１−２７５
【非特許文献６】
Ｇｅｏｒｇｅ，Ｍ．Ｓ．ｅｔ  ａｌ．，"Ａ  Ｃｏｎｔｒｏｌｌｅｄ  Ｔｒｉａｌ  ｏｆ  Ｄａｉｌｙ  Ｌｅｆｔ  Ｐｒｅｆｒｏｎｔａｌ  Ｃｏｒｔｅｘ  ＴＭＳ  ｆｏｒ  Ｔｒｅａｔｉｎｇ  Ｄｅｐｒｅｓｓｉｏｎ"，Ｓｏｃｉｅｔｙ  ｏｆ  Ｂｉｏｌｏｇｉｃａｌ  Ｐｓｙｃｈｉａｔｒｙ，２０００，４８，９６２−９７０
【非特許文献７】
Ｇｅｏｒｇｅ，Ｍ．Ｓ．"Ｎｅｗ  Ｍｅｔｈｏｄｓ  ｏｆ  Ｍｉｎｉｍａｌｌｙ  Ｉｎｖａｓｉｖｅ  Ｂｒａｉｎ  Ｍｏｄｕｌａｔｉｏｎ  ａｓ  Ｔｈｅｒａｐｉｅｓ  ｉｎ  Ｐｓｙｃｈｉａｔｒｙ：ＴＭＳ，ＭＳＴ，ＶＮＳ  ａｎｄ  ＤＢＳ"，Ｃｈｉｎｅｓｅ  Ｍｅｄｉｃａｌ  Ｊｏｕｒｎａｌ（Ｔａｉｐｅｉ），２００２，６５，３４９−３６０
【非特許文献８】
Ｇｒａｆｍａｎ，Ｊ．Ｐｈ．Ｄ．，"ＴＭＳ  ａｓ  ａ  Ｐｒｉｍａｒｙ  Ｂｒａｉｎ  Ｍａｐｐｉｎｇ  Ｔｏｏｌ"Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，２０００，１１５−１４０
【非特許文献９】
Ｎａｈａｓ，Ｚ．ｅｔ  ａｌ．，"Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ（ＴＭＳ）Ｔｒｅａｔｍｅｎｔ  ｏｆ  Ｄｅｐｒｅｓｓｉｏｎ  ｉｎ  Ｂｉｐｏｌａｒ  Ａｆｆｅｃｔｉｖｅ  Ｄｉｓｏｒｄｅｒ：Ａ  Ｐｉｌｏｔ  Ｓｔｕｄｙ  ｏｆ  Ａｃｕｔｅ  Ｓａｆｅｔｙ  ａｎｄ  Ｅｆｆｉｃａｃｙ"，Ｂｉｐｏｌａｒ  Ｄｉｓｏｒｄｅｒｓ，２００３，５，４０−４７
【非特許文献１０】
Ｌｉｓａｎｂｙ，Ｓ．Ｈ．ＭＤ．ｅｔ  ａｌ．，"Ｍａｇｎｅｔｉｃ  Ｓｅｉｚｕｒｅ  Ｔｈｅｒａｐｙ  ｏｆ  Ｍａｊｏｒ  Ｄｅｐｒｅｓｓｉｏｎ"，Ａｒｃｈ  Ｇｅｎ  Ｐｓｙｃｈｉａｔｒｙ，２００１，５８，３０３−３０７
【非特許文献１１】
Ｌｉｓａｎｂｙ，Ｓ．Ｈ．ｅｔ  ａｌ．，"Ｓｈａｍ  ＴＭＳ：Ｉｎｔｒａｃｅｒｅｂｒａｌ  Ｍｅａｓｕｒｅｍｅｎｔ  ｏｆ  ｔｈｅ  Ｉｎｄｕｃｅｄ  Ｅｌｅｃｔｒｉｃａｌ  Ｆｉｅｌｄ  ａｎｄ  ｔｈｅ  Ｉｎｄｕｃｔｉｏｎ  ｏｆ  Ｍｏｔｏｒ−Ｅｖｏｋｅｄ  Ｐｏｔｅｎｔｉａｌｓ"，Ｓｏｃｉｅｔｙ  ｏｆ  Ｂｉｏｌｏｇｉｃａｌ  Ｐｓｙｃｈｉａｔｒｙ，２００１，４９，４６０−４６３
【非特許文献１２】
Ｌｉｓａｎｂｙ，Ｓ．Ｈ．，"Ｓａｆｅｔｙ  ａｎｄ  Ｆｅａｓｉｂｉｌｉｔｙ  ｏｆ  Ｍａｇｎｅｔｉｃ  Ｓｅｉｚｕｒｅ  Ｔｈｅｒａｐｙ（ＭＳＴ）ｉｎ  Ｍａｊｏｒ  Ｄｅｐｒｅｓｓｉｏｎ：Ｒａｎｄｏｍｉｚｅｄ  Ｗｉｔｈｉｎ−Ｓｕｂｊｅｃｔ  Ｃｏｍｐａｒａｓｉｏｎ  ｗｉｔｈ  Ｅｌｅｃｔｒｏｃｏｎｖｕｌｓｉｖｅ  Ｔｈｅｒａｐｙ"，Ｎｅｕｒｏｐｓｙｃｈｏｐｈａｒｍａｃｏｌｏｇｙ，Ｎｅｗ  Ｙｏｒｋ  Ｓｔａｔｅ  Ｐｓｙｃｈｉａｔｒｉｃ  Ｉｎｓｔｉｔｕｔｅ，２００３，２８，１８５２−１８６５
【非特許文献１３】
Ｌｉｓａｎｂｙ，Ｓ．Ｈ．，"Ｕｐｄａｔｅ  ｏｎ  Ｍａｇｎｅｔｉｃ  Ｓｅｉｚｕｒｅ  Ｔｈｅｒａｐｙ：Ａ  Ｎｏｖｅｌ  Ｆｏｒｍ  ｏｆ  Ｃｏｎｖｕｌｓｉｖｅ  Ｔｈｅｒａｐｙ"，Ｔｈｅ  Ｊｏｕｒｎａｌ  ｏｆ  ＥＣＴ，２００２，１８，１８２−１８８
【非特許文献１４】
Ｌｏｒｂｅｒｂａｕｍ，Ｊ．Ｐ．，Ｍ．Ｄ．ｅｔ  ａｌ．，"Ｓａｆｅｔｙ  Ｃｏｎｃｅｒｎｓ  ｏｆ  ＴＭＳ"，Ｔｒａｎｓｃｒａｎｉａｌ  Ｍａｇｎｅｔｉｃ  Ｓｔｉｍｕｌａｔｉｏｎ  ｉｎ  Ｎｅｕｒｏｐｓｙｃｈｉａｔｒｙ，２０００，１４１−１６１
【非特許文献１５】
Ｌｏｏ，Ｃ．Ｋ．ｅｔ  ａｌ．，"Ｔｒａｎｓｃｒａｎｉａｌ  Ｍａｇｎｅｔｉｃ  Ｓｔｉｍｕｌａｔｉｏｎ（ＴＭＳ）ｉｎ  Ｃｏｎｔｒｏｌｌｅｄ  Ｔｒｅａｔｍｅｎｔ  Ｓｔｕｄｉｅｓ：Ａｒｅ  Ｓｏｍｅ"Ｓｈａｍ"Ｆｏｒｍｓ  Ａｃｔｉｖｅ？"，Ｓｏｃｉｅｔｙ  ｏｆ  Ｂｉｏｌｏｇｉｃａｌ  Ｐｓｙｃｈｉａｔｒｙ，２０００，４７，３２５−３３１
【非特許文献１６】
Ｎａｈａｓ，Ｚ．ｅｔ  ａｌ．，"Ｕｎｉｌａｔｅｒａｌ  Ｌｅｆｔ  Ｐｒｅｆｒｏｎｔａｌ  Ｔｒａｎｓｃｒａｎｉａｌ  Ｍａｇｎｅｔｉｃ  Ｓｔｉｍｕｌａｔｉｏｎ（ＴＭＳ）Ｐｒｏｄｕｃｅｓ  Ｉｎｔｅｎｓｉｔｙ−Ｄｅｐｅｎｄｅｎｔ  Ｂｉｌａｔｅｒａｌ  Ｅｆｆｅｃｔｓ  ａｓ  Ｍｅａｓｕｒｅｄ  ｂｙ  Ｉｎｔｅｒｌｅａｖｅｄ  ＢＯＬＤ  ｆＭＲＩ"，Ｓｏｃｉｅｔｙ  ｏｆ  Ｂｉｏｌｏｇｉｃａｌ  Ｐｓｙｃｈｉａｔｒｙ，２００１，５０，７１２−７２０
【非特許文１７】
Ｐｒｉｄｍｏｒｅ，Ｓ．，"Ｒａｐｉｄ  Ｔｒａｎｓｃｒａｎｉａｌ  Ｍａｇｎｅｔｉｃ  Ｓｔｉｍｕｌａｔｉｏｎ  ａｎｄ  Ｎｏｒｍａｌｉｚａｔｉｏｎ  ｏｆ  ｔｈｅ  Ｄｅｘａｍｅｔｈａｓｏｎｅ  Ｓｕｐｐｒｅｓｓｉｏｎ  Ｔｅｓｔ"，Ｐｓｙｃｈｉａｔｒｙ  ａｎｄ  Ｃｌｉｎｉｃａｌ  Ｎｅｕｒｏｓｃｉｅｎｃｅｓ，１９９９，５３，３３−３７
【非特許文献１８】
Ｒｏｔｈ，Ｙ．ｅｔ  ａｌ．，"Ａ  Ｃｏｉｌ  Ｄｅｓｉｇｎ  ｆｏｒ  Ｔｒａｎｓｃｒａｎｉａｌ  Ｍａｇｎｅｔｉｃ  Ｓｔｉｍｕｌａｔｉｏｎ  ｏｆ  Ｄｅｅｐ  Ｂｒａｉｎ  Ｒｅｇｉｏｎｓ"，Ｊｏｕｒｎａｌ  ｏｆ  Ｃｌｉｎｉｃａｌ  Ｎｅｕｒｏｐｈｙｓｉｏｌｏｇｙ，２００２，１９（４），３６１−３７０
【非特許文献１９】
Ｒｕｏｈｏｎｅｎ，Ｊ．，"Ｅｌｅｃｔｒｏｅｎｃｅｐｈａｌｏｇｒａｐｈｙ  Ｃｏｍｂｉｎｅｄ  ｗｉｔｈ  ＴＭＳ"，ＢｉｏＭａｇ  Ｌａｂｏｒａｔｏｒｙ，Ｈｅｌｓｉｎｋｉ  Ｕｎｉｖｅｒｓｉｔｙ  Ｃｅｎｔｒａｌ  Ｈｏｓｐｉｔａｌ，ｈｔｔｐ：／／ｗｗｗ．ｂｉｏｍａｇ．ｈｅｌｓｉｎｋｉ．ｆｉ／ｔｍｓ／ＴＭＳＥＥＧ．ｈｔｍｌ，Ｏｃｔｏｂｅｒ  ６，１９９９，２２  ｐａｇｅｓ
【非特許文献２０】
Ｔｅｒｒａｃｅ，Ｈ．Ｓ．ｅｔ  ａｌ．，"Ｔｈｅ  Ｃｏｇｎｉｔｉｖｅ  Ｅｆｆｅｃｔｓ  ｏｆ  Ｅｌｅｃｔｒｏｃｏｎｖｕｌｓｉｖｅ  Ｓｈｏｃｋ  ａｎｄ  Ｍａｇｎｅｔｉｃ  Ｓｅｉｚｕｒｅ  Ｔｈｅｒａｐｙ  ｉｎ  Ｒｈｅｓｕｓ  Ｍｏｎｋｅｙｓ"，Ｓｏｃｉｅｔｙ  ｆｏｒ  Ｎｅｕｒｏｓｃｉｅｎｃｅ  Ａｂｓｔｒａｃｔ  Ｖｉｅｗｅｒ  ａｎｄ  Ｉｔｉｎｅｒａｒｙ  Ｐｌａｎｎｅｒ，２００２，ＡＢＳＴＲＡＣＴ  ＯＮＬＹ  ＃  １８４．１４
【非特許文献２１】
Ｔｅｒｒａｃｅ，Ｈ．Ｓ．ｅｔ  ａｌ．，"Ｔｈｅ  Ｃｏｇｎｉｔｉｖｅ  Ｅｆｆｅｃｔｓ  ｏｆ  Ｅｌｅｃｔｒｏｃｏｎｖｕｌｓｉｖｅ  Ｓｈｏｃｋ  Ｓｔｉｍｕｌａｔｉｏｎ  ａｎｄ  Ｍａｇｎｅｔｉｃ  Ｓｅｉｚｕｒｅ  Ｔｈｅｒａｐｙ  ｉｎ  Ｒｈｅｓｕｓ  Ｍｏｎｋｅｙｓ"，Ｓｏｃｉｅｔｙ  ｆｏｒ  Ｎｅｕｒｏｓｃｉｅｎｃｅ  Ａｂｓｔｒａｃｔｓ，２００１，２７（１），５３６．７，ｐｇ１４１８
【非特許文献２２】
Ｔｒｉｖｅｄｉ，Ｍ．Ｈ．，ＭＤ．，"Ｔｒｅａｔｍｅｎｔ−Ｒｅｓｉｓｔａｎｔ  Ｄｅｐｒｅｓｓｉｏｎ：Ｎｅｗ  Ｔｈｅｒａｐｉｅｓ  ｏｎ  ｔｈｅ  Ｈｏｒｉｚｏｎ"，Ａｎｎａｌｓ  ｏｆ  Ｃｌｉｎｉｃａｌ  Ｐｓｙｃｈｉａｔｒｙ，２００３，１５（１），５９−７０
【非特許文献２３】
Ｈｅｓｓ，Ｃ．Ｗ．ｅｔ  ａｌ．，"Ｍａｇｎｅｔｉｃ  Ｓｔｉｍｕｌａｔｉｏｎ  ｏｆ  ｔｈｅ  Ｈｕｍａｎ  Ｂｒａｉｎ：Ｉｎｆｌｕｅｎｃｅ  ｏｆ  Ｓｉｚｅ  ａｎｄ  Ｓｈａｐｅ  ｏｆ  ｔｈｅ  Ｓｔｉｍｕｌａｔｉｎｇ  Ｃｏｉｌ"，Ｍｏｔｏｒ  Ｄｉｓｔｕｒｂａｎｃｅｓ  ＩＩ，１９９０，３，３１−４２
【非特許文献２４】
Ｗａｓｓｅｒｍａｎｎ，Ｅ．Ｍ．，"Ｒｅｐｅｔｉｔｉｖｅ  Ｔｒａｎｓｃｒａｎｉａｌ  Ｍａｇｎｅｔｉｃ  Ｓｔｉｍｕｌａｔｉｏｎ：Ａｎ  Ｉｎｔｒｏｄｕｃｔｉｏｎ  ａｎｄ  Ｏｖｅｒｖｉｅｗ"，ＣＮＳ  Ｓｐｅｃｔｒｕｍｓ，Ｔｈｅ  Ｉｎｔｅｒｎａｔｉｏｎａｌ  Ｊｏｕｒｎａｌ  ｏｆ  Ｎｅｕｒｏｐｓｙｃｈｉａｔｒｉｃ  Ｍｅｄｉｃｉｎｅ，Ｊａｎｕａｒｙ  １９９７，７  ｐａｇｅｓ